(57)【要約】    【課題】  定着部材及び加圧部材への用紙巻き付きを防止して、確実な用紙分離を行なうことのできる定着装置を提供する。    【解決手段】  定着ニップを出た用紙を分岐部材２０により定着ローラ６側又は加圧ローラ１０側の吸引部材１２に導く。吸気装置１３を作動させ、連通管１４を介して吸引部材１２の吸引口からエアを吸引し、用紙を吸着する。これにより、用紙は定着ベルト８又は加圧ローラ１０に巻き付くことなく、用紙が確実に分離される。    【選択図】      図２
2005241723.tif 000002
【特許請求の範囲】
【請求項１】
未定着トナー像を担持する記録媒体を、定着部材と加圧部材によって挟持搬送し、前記トナー像を加熱及び加圧することにより記録媒体に定着させる定着装置において、
定着直後に記録媒体が前記定着部材に沿って搬送された場合に定着部材から離れる方に記録媒体を吸着するとともに、記録媒体が前記加圧部材に沿って搬送された場合に加圧部材から離れる方に記録媒体を吸着する吸着手段を設けたことを特徴とする定着装置。
【請求項２】
前記吸着手段が、記録媒体が前記定着部材に沿って搬送された場合に定着部材から離れる方に記録媒体を吸着する定着部材側吸着手段と、記録媒体が前記加圧部材に沿って搬送された場合に加圧部材から離れる方に記録媒体を吸着する加圧部材側吸着手段とから構成されることを特徴とする、請求項１に記載の定着装置。
【請求項３】
前記定着部材と前記加圧部材とが圧接されるニップの出口側近傍に配置され、前記ニップを通過した直後の記録媒体を前記吸着手段に沿って定着部材側または加圧部材側に導く分岐部材を有することを特徴とする、請求項１または２に記載の定着装置。
【請求項４】
前記分岐部材が前記吸着手段と一体的に形成されていることを特徴とする、請求項３に記載の定着装置。
【請求項５】
前記分岐部材が、記録媒体を定着部材側に導く定着側部材と記録媒体を加圧部材側に導く加圧側部材とから構成され、該定着側部材と加圧側部材とが当接及び離間可能に設けられ、
所定の厚さ以上の記録媒体を定着する場合に、当該分岐部材の定着側部材と加圧側部材とを離間させ、ニップ通過後の記録媒体が前記定着側部材と加圧側部材の間を通過可能なことを特徴とする、請求項３に記載の定着装置。
【請求項６】
前記定着部材と前記吸着手段の対向部で前記吸着手段の記録媒体搬送方向下流側近傍に配置され、記録媒体を前記定着部材から剥離させる定着側剥離部材を前記定着部材に非接触に設けたことを特徴とする、請求項１〜５のいずれか１項に記載の定着装置。
【請求項７】
前記加圧部材と前記吸着手段の対向部で前記吸着手段の記録媒体搬送方向下流側近傍に配置され、記録媒体を前記加圧部材から剥離させる加圧側剥離部材を前記加圧部材に非接触に設けたことを特徴とする、請求項１〜６のいずれか１項に記載の定着装置。
【請求項８】
片面定着時に前記定着部材側吸着手段のみが吸着動作を行なうことを特徴とする、請求項２に記載の定着装置。
【請求項９】
両面定着時に前記定着部材側吸着手段及び前記加圧部材側吸着手段が吸着動作を行なうことを特徴とする、請求項２又は８に記載の定着装置。
【請求項１０】
記録媒体の先端部が前記吸着手段部を通過する時のみ、前記吸着手段による吸着動作を実行することを特徴とする、請求項１，８，９のいずれか１項に記載の定着装置。
【請求項１１】
前記吸着手段はエアを吸引することにより記録媒体を吸着するよう構成され、
当該吸着手段先端の記録媒体との当接部が回転可能に設けられ、該回転部には回転方向に複数個のエア吸引口が形成されていることを特徴とする、請求項１〜１０のいずれか１項に記載の定着装置。
【請求項１２】
請求項１〜１１のいずれか１項に記載の定着装置を備えることを特徴とする画像形成装置。
【請求項１３】
複数色のトナーを用いたカラー画像の形成が可能なことを特徴とする、請求項１２に記載の画像形成装置。
【請求項１４】
記録媒体の両面に画像を形成可能なことを特徴とする、請求項１２又は１３に記載の画像形成装置。
【発明の詳細な説明】
【技術分野】
【０００１】
本発明は、複写機、プリンター、ファクシミリ等の画像形成装置における定着装置に関するものである。
【背景技術】
【０００２】
【特許文献１】特開２００３−１０７９４５号公報
【特許文献２】特開２００３−２３３２６６号公報
【０００３】
複写機、プリンタ、ファクシミリ等の画像形成装置に装着され、転写紙等の記録媒体上に転写された未定着画像（加熱溶融性の樹脂等よりなるトナーにより形成された画像）を加熱して記録媒体上に定着させる定着装置として、ヒータを内蔵させた定着ロ−ラ（加熱ローラ）と加圧ローラとを圧接させ、両ローラ間に用紙を通過させて熱と圧力とにより用紙上の未定着トナー像の定着を行なう、ヒートローラ方式の定着装置は周知である。
【０００４】
一般に、定着ローラの離型性を高めるため、ローラ表面にフッ素系樹脂のコーティングをしたり、ＰＦＡチューブを被覆したりすることが行なわれている。しかし、このような定着ローラを使用しても、溶融したトナーは粘性が高いため定着ローラ表面に付着しやすく、用紙が定着ローラに巻き付く可能性がある。
【０００５】
そこで、定着ローラ表面に剥離爪を接触させて用紙を強制剥離し、定着ローラへの用紙巻き付きを防止するようにしたものがある。このような定着装置では、剥離爪の接触跡が定着ローラ表面に残らないように、ローラ表面にはシリコーンオイル等の離型剤が塗布されている。
【０００６】
ところで近年、カラー画像形成装置においては、画像の色再現性や光沢性を確保するためにトナーを充分に溶融することが要求されており、したがって低い融点のトナーが使用されている。低融点トナーは高温オフセットを起こしやすく、そのために離型剤として低粘度のシリコーンオイルを多量に塗布することが行なわれている。しかし、シリコーンオイルを多量に使用すると、シリコーンオイルのこぼれによる装置内のオイル汚染や、用紙へのオイル付着等の問題が発生する。
【０００７】
また、シリコーンオイルを全く使用しないか、あるいは僅かな使用で、定着後の優れた色再現性と光沢性を得られるようにした定着装置も提案されている。しかし、シリコーンオイルを用いないと定着ローラ表面に剥離爪の接触跡が残ってしまう。そこで、定着ローラに接触する剥離爪を用いることなく、定着ローラへの用紙巻き付きを防止するようにした定着装置が提案されている。
【０００８】
例えば、上記特許文献１に記載のものは、定着ローラと加圧ローラとで形成されたニップ部の下流側近傍に、定着直後の用紙を吸着して搬送する吸引ローラ（吸着搬送手段）を設けている。
【０００９】
また、上記特許文献２に記載のものは、定着手段と加圧手段とで形成されたニップ部の下流側近傍に、定着直後の用紙を吸引して引き剥がす、吸引引き剥がし手段を設けている。
【発明の開示】
【発明が解決しようとする課題】
【００１０】
しかしながら、上記特許文献１及び２に記載のものは、共に定着部材から用紙を分離するものであり、用紙が加圧部材に巻き付いた場合には有効に対処できないという問題がある。
【００１１】
また、上記特許文献１に記載のものは、吸着手段の内部に吸引ローラを設けるので吸着手段が大きくなり、ニップ出口近傍での吸着手段の配置が困難である。そのため、定着部材に対し吸着手段が離れてしまうため、吸引力が弱くなり、分離性が良好でないという問題もある。
【００１２】
本発明は、従来の定着装置における上述の問題を解決し、定着部材及び加圧部材への用紙巻き付きが発生することのない定着装置を提供することを課題とする。
【課題を解決するための手段】
【００１３】
前記の課題は、本発明により、未定着トナー像を担持する記録媒体を、定着部材と加圧部材によって挟持搬送し、前記トナー像を加熱及び加圧することにより記録媒体に定着させる定着装置において、定着直後に記録媒体が前記定着部材に沿って搬送された場合に定着部材から離れる方に記録媒体を吸着するとともに、記録媒体が前記加圧部材に沿って搬送された場合に加圧部材から離れる方に記録媒体を吸着する吸着手段を設けたことにより解決される。
【００１４】
また、前記の課題を解決するため、本発明は、前記吸着手段が、記録媒体が前記定着部材に沿って搬送された場合に定着部材から離れる方に記録媒体を吸着する定着部材側吸着手段と、記録媒体が前記加圧部材に沿って搬送された場合に加圧部材から離れる方に記録媒体を吸着する加圧部材側吸着手段とから構成されることを提案する。
【００１５】
また、前記の課題を解決するため、本発明は、前記定着部材と前記加圧部材とが圧接されるニップの出口側近傍に配置され、前記ニップを通過した直後の記録媒体を前記吸着手段に沿って定着部材側または加圧部材側に導く分岐部材を有することを提案する。
【００１６】
また、前記の課題を解決するため、本発明は、前記分岐部材が前記吸着手段と一体的に形成されていることを提案する。
また、前記の課題を解決するため、本発明は、前記分岐部材が、記録媒体を定着部材側に導く定着側部材と記録媒体を加圧部材側に導く加圧側部材とから構成され、該定着側部材と加圧側部材とが当接及び離間可能に設けられ、所定の厚さ以上の記録媒体を定着する場合に、当該分岐部材の定着側部材と加圧側部材とを離間させ、ニップ通過後の記録媒体が前記定着側部材と加圧側部材の間を通過可能なことを提案する。
【００１７】
また、前記の課題を解決するため、本発明は、前記定着部材と前記吸着手段の対向部で前記吸着手段の記録媒体搬送方向下流側近傍に配置され、記録媒体を前記定着部材から剥離させる定着側剥離部材を前記定着部材に非接触に設けたことを提案する。
【００１８】
また、前記の課題を解決するため、本発明は、前記加圧部材と前記吸着手段の対向部で前記吸着手段の記録媒体搬送方向下流側近傍に配置され、記録媒体を前記加圧部材から剥離させる加圧側剥離部材を前記加圧部材に非接触に設けたことを提案する。
【００１９】
また、前記の課題を解決するため、本発明は、片面定着時に前記定着部材側吸着手段のみが吸着動作を行なうことを提案する。
また、前記の課題を解決するため、本発明は、両面定着時に前記定着部材側吸着手段及び前記加圧部材側吸着手段が吸着動作を行なうことを提案する。
【００２０】
また、前記の課題を解決するため、本発明は、記録媒体の先端部が前記吸着手段部を通過する時のみ、前記吸着手段による吸着動作を実行することを提案する。
【００２１】
また、前記の課題を解決するため、本発明は、前記吸着手段はエアを吸引することにより記録媒体を吸着するよう構成され、当該吸着手段先端の記録媒体との当接部が回転可能に設けられ、該回転部には回転方向に複数個のエア吸引口が形成されていることを提案する。
【００２２】
また、前記の課題は本発明により、請求項１〜１１のいずれか１項に記載の定着装置を備える画像形成装置により解決される。
【００２３】
また、前記の課題を解決するため、本発明は、複数色のトナーを用いたカラー画像の形成が可能なことを提案する。
また、前記の課題を解決するため、本発明は、記録媒体の両面に画像を形成可能なことを提案する。
【発明の効果】
【００２４】
本発明の定着装置及び画像形成装置によれば、離型剤を全く使用しないか僅かに使用するだけのいわゆるオイルレス定着においても、定着部材あるいは加圧部材から確実に用紙を分離することができるので、用紙の巻き付きを防止できる。特にトナー付着量が多いカラー画像、あるいは、両面記録においても、確実な用紙分離により巻き付きを防ぐことができる。
【００２５】
請求項２の構成により、定着部材側吸着手段と加圧部材側吸着手段とにより、片面定着や両面定着など、必要に応じて適切な側の吸着手段で用紙を吸着することが可能となる。
【００２６】
請求項３の構成により、分岐部材を有することで用紙を定着部材側または加圧部材側に導いて確実な分離を促すことができる。
請求項４の構成により、分岐部材が吸着手段と一体的に形成されるので、部材の小型化及び低コスト化を図ることができる。
【００２７】
請求項５の構成により、通常用紙の確実な分離を可能とするとともに、厚紙を分岐部材で偏向させず直線的に通過させることができるので、厚紙のジャムを防止して、多様な用紙に対応することができる。
【００２８】
請求項６の構成により、定着側剥離部材を設けたことで吸着手段を大型化しなくとも確実な分離を行なうことができる。また、剥離部材が定着部材に非接触であるため、定着部材に損傷を与えることがない。
【００２９】
請求項７の構成により、加圧部材側剥離部材を設けたことで吸着手段を大型化しなくとも確実な分離を行なうことができる。また、剥離部材が加圧部材に非接触であるため、加圧部材に損傷を与えることがない。
【００３０】
請求項８の構成により、片面定着時に定着部材側吸着手段のみが吸着動作を行なうので、省エネルギーを図ることが可能となる。
請求項９の構成により、両面定着時に定着部材側吸着手段及び加圧部材側吸着手段が吸着動作を行なうので、用紙両面の画像状態に関わらず定着部材あるいは加圧部材への用紙巻き付きを防ぐことができ、確実な分離を行なうことができる。
【００３１】
請求項１０の構成により、記録媒体の先端部が吸着手段部を通過する時のみ吸着動作を実行するので、省エネルギーを図ることが可能となる。また、用紙の搬送を安定させることができる。
【００３２】
請求項１１の構成により、エアの吸引により確実な用紙の分離を行なうことができる。また、吸着手段先端の記録媒体との当接部が回転可能に設けられることで、用紙の搬送を安定させることができる。
【００３３】
請求項１３の構成により、トナー量が多く巻き付きを起こしやすいカラー画像であっても確実な用紙の分離を行なうことができる。
請求項１４の構成により、トナー量が多く巻き付きを起こしやすい両面画像であっても確実な用紙の分離を行なうことができる。
【発明を実施するための最良の形態】
【００３４】
以下、本発明の実施の形態を図面に基づいて説明する。
図１は本発明に係る画像形成装置の一例を示す断面構成図である。この図に示す画像形成装置は、いわゆるタンデム型のフルカラー装置であり、画像読み取り部を備えて複写装置として構成されたものである。本例のカラー複写装置は、給紙テーブル２００の上に装置本体１００を搭載し、その装置本体１００の上にスキャナ３００が配置されている。
【００３５】
装置本体１００のほぼ中央には、無端状の転写ベルト２５が配設されている。この転写ベルト２５の上辺に沿って４つの作像ユニットが並べて配置されている。各作像ユニットは図に示すように、用紙搬送方向の順にイエロー、シアン、マゼンタ、ブラックの各ユニットである。各色作像ユニットは、像担持体としての感光体ドラムＡ，現像器Ｂ，転写手段である転写ローラＣ，帯電手段としての帯電ローラＤ，書込装置Ｅ等の電子写真プロセスに必要な各機器を有している。各色作像ユニットの構成は同一であり、各色ユニットを示す１〜４の数字の後に上記の各機器を示すＡ〜Ｄの符号を付して図示してある。
【００３６】
上記の像担持体１Ａ〜４Ａは、光導電性を有する有機または無機の材料からなるドラム状感光体であり、矢印の如く図中時計回りに回転駆動される。また、書込装置Ｄはレーザー書込み装置であり、本例では、帯電手段Ｅと現像器Ｂの間の書込み位置で、レーザ光が感光体ドラムＡに照射される。また、転写ローラＣは、転写ベルト２５のループ内で、各色感光体ドラムＡに対向する位置に配置されている。
【００３７】
スキャナ３００のコンタクトガラス２４上に載置された原稿画像は、赤（Ｒ），緑（Ｇ），青（Ｂ）の３色に色分解した画像情報光として３つのＣＣＤ２３で読み取られる。その各色光の強度レベルをもとにして所定の演算処理を行って得られたイエロー（Ｙ），シアン（Ｃ），マゼンタ（Ｍ），黒（Ｂｋ）の各色で現像すべき書込み画像データに基づいて、各作像ユニットにおけるレーザー書込み装置１Ｄ〜４Ｄが駆動され、各色感光体ドラム１Ａ〜４Ａ上に光書き込みを行なう。
【００３８】
上記光書き込みに先立って、感光体ドラム１Ａ〜４Ａは帯電ローラ１Ｅ〜４Ｅにより帯電（本例では負帯電）される。そして、光書き込みにより感光体ドラム１Ａ〜４Ａ上に形成された静電潜像を、現像器１Ｂ〜４Ｂを用いてトナー（本例では負帯電トナー）により反転現像する。
【００３９】
一方、給紙テーブル２００または装置本体の側面に設けられた給紙トレイから給送された用紙が、レジストローラ２７によりタイミングを取られて送出され、転写ベルト２５に静電的に吸着されて搬送される。その用紙上に、感光体ドラム１Ａ〜４Ａから各色トナー画像が重ね転写され、フルカラー画像が形成される。モノクロ画像の場合は、黒トナーを用いる作像ユニットのみ使用して画像形成すればよい。感光体ドラムから用紙へのトナー画像の転写は、転写ベルト２５のループ内に配置された転写ローラ１Ｃ〜４Ｃの作用による。
【００４０】
トナー画像を転写された用紙は、分離手段２８により転写ベルト２５から分離され、オイル塗布手段を用いないオイルレスのベルト定着装置１１に送られ、用紙上にトナー像が定着される。トナー像定着後の用紙は、図示しない排紙トレイに排出される。なお、装置本体１００内に用紙反転部を設けるか、外部に両面装置を装着するなどにより、用紙を反転させて両面複写できるように構成しても良い。
【００４１】
本例における転写ベルト２５は、ポリエステルフィルムなどの誘電体からなり、転写ローラ１Ｃ〜４Ｃから正の電荷が付与されるので、用紙分離後に除電装置２６により除電する。除電装置２６は、転写ベルト２５の両面からチャージャで負のＡＣコロナ放電を行い、転写ベルトの蓄積電荷を中和（除電）して、転写ベルト２５を初期化する。さらに転写ベルト２５に対して、クリーニングユニット２２が設けられており、ベルト上に残留したトナーのクリーニングが行なわれる。転写ベルト用分離手段２８はチャージャであり、用紙の上面から負のＡＣコロナ放電を行なって用紙の蓄積電荷を中和（除電）し、用紙が転写ベルト２５から分離する際の剥離放電によるトナーのチリを防止する。
【００４２】
本例のカラー画像形成装置は複写装置として説明したが、プリンタ、あるいはファクシミリの機能をもたせることも可能であり、必要に応じてネットワークや通信回線に接続すればよい。
【００４３】
次に、本発明の要点である定着装置について説明する。
図２は、本発明を適用した定着装置の第１実施例の要部構成を示すものである。この定着装置の基本構成について、図３を参照して先に説明する。なお、図１では、定着装置として第１実施例の定着装置１１を搭載し、その基本構成だけを図示してあるが、後述する他の実施例の定着装置も搭載可能である。
【００４４】
図３に示すように、エンドレスの定着ベルト８は、定着ローラ６と加熱ローラ７とに掛け渡され張設されている。定着ローラ６は図中時計回りに回転駆動され、定着ベルト８を同方向に回動させる。定着ベルト８を間に挟んで定着ローラ６に圧接するように、加圧ローラ１０が設けられている。
【００４５】
本例の定着ベルト８は、耐熱性樹脂や金属から形成されたエンドレスのベルト状基体を用いている。耐熱性樹脂の材質としては、ポリイミド、ポリアミドイド、ポリエーテルケトン（ＰＥＥＫ）等を挙げることができ、金属ベルトの材質としては、ニッケル、アルミニウム、鉄等を挙げることができる。厚さは１００μｍ以下の薄肉のものが望ましい。定着ベルト８表面は、用紙及びトナー像と加圧接触するので離型性に優れる必要があり、また、耐熱性、耐久性にも優れたものが好ましい。そのため、定着ベルト８表層は耐熱離型層（フッ素系樹脂、高離型シリコーンゴム等）が被覆された構成になっている。例えばフッ素樹脂の場合、吹き付け等により基体表面に塗布され、加熱融着させることで表面離型層が形成される。高離型シリコーンゴムの場合、ゴム硬度２５〜６５度（ＪＩＳ-Ａ硬度計）、厚さが１００〜３００ｕｍの範囲が良好な定着姓及び熱応答性を得る条件として望ましい。また定着ベルト８の別の構成として、ポリイミド等の耐熱性樹脂の基体にシリコーンゴム等の弾性体層を設け、更にその弾性体層の上にフッ素樹脂、ＰＦＡチューブ等の離型層を設けると、ＯＨＰ透明性、均一定着においてより良好な定着画像を得ることができる。
【００４６】
定着ローラ６はアルミニウムの芯金を有し、その上に弾性層としてゴム硬度ＪＩＳ-Ａ１３度のシリコーンゴム５ｍｍを設け、更にその上に表面層として厚さ２０μｍのフッ素コートを被覆した。定着ローラ６の径はφ５０ｍｍで、表面硬度はアスカーＣ４４度である。
【００４７】
加熱ローラ７は径φ３０ｍｍのアルミニウムの中空円筒薄肉ローラとし、その内部には熱源としてハロゲンヒータ１６を備えている。また、スプリング等の付勢手段を付設することで、定着ベルト８に所定のテンションを与えるようになっている。
【００４８】
ハロゲンヒータ１５を熱源として内蔵する加圧ローラ１０もアルミニウムの芯金を有し、その上に弾性層としてゴム硬度ＪＩＳ-Ａ３５度のシリコーンゴム２ｍｍを設け、更にその上に表面層として厚さ５０μｍのＰＦＡチューブを被覆した。加圧ローラ１０の径もφ５０ｍｍで、表面硬度はアスカーＣ７２度である。
【００４９】
上記のような基本構成において、表面にトナー像を担持した用紙Ｐは、図の右から左方向に搬送され、定着ベルト８を介して定着ローラ６と加圧ローラ１０とが圧接されるニップ部において加熱・加圧され、トナー像が用紙上に定着される。
【００５０】
さて、図２に示すように、本第１実施例の定着装置１１では、定着ニップの出口直後に分岐部材２０が設けられている。この分岐部材２０は、ニップを通過した直後の用紙を定着ベルト８側または加圧ローラ１０側に導くためのものである。本例では、分岐部材２０は定着ローラ６及び加圧ローラ１０の軸方向に延設された（図面に垂直な方向に長さを有する）部材である。その分岐部材２０の用紙搬送方向直下流側で定着ベルト８の近傍と加圧ローラ１０の近傍とに、それぞれ吸引部材１２が配置されている。各吸引部材１２，１２は、それぞれ連通管１４，１４により吸気装置１３，１３に連結されている。吸引部材１２，吸気装置１３，連通管１４で用紙吸着手段を構成し、本実施例では、定着部材側と加圧部材側に１組ずつ吸着手段を配置している。
【００５１】
定着ベルト８側の吸引部材１２は、定着ベルト８との対向部に設けられた吸引口１２ａ（図４参照）を有しており、定着ベルト８側の吸気装置１３が作動することにより、吸引口からエアを吸引する。同様に、加圧ローラ１０側の吸引部材１２は、加圧ローラ１０との対向部に設けられた吸引口１２ａ（図４参照）を有しており、加圧ローラ１０側の吸気装置１３が作動することにより、吸引口からエアを吸引する。なお、各吸引部材１２，１２の吸引口は、図面に垂直な長手方向（定着ローラ６及び加圧ローラ１０の軸方向）に複数個設けられているものである。
【００５２】
図中の符号１７は制御手段、符号１８は画像形成装置の操作部を示し、操作部１８から入力された信号は制御手段１７に送られ、その信号に基づいて制御手段１７が両吸気装置１３，１３の動作を制御する。なお、各吸引部材１２，１２の近傍で、定着ローラ６及び加圧ローラ１０のそれぞれ回動方向の下流側に僅かの距離をおいて、剥離シート１９，１９が設けられている。この剥離シート１９，１９は、それぞれ定着ベルト８または加圧ローラ１０に非接触に配置されている。
【００５３】
ここで、用紙の搬送動作について説明する。
ニップ出口直後の用紙先端は、紙種，先端部の画像状態，片面あるいは両面画像等の定着条件により様々な挙動をする。ある場合は定着ベルト側に巻き付こうとし、ある場合は加圧ローラ１０側に巻き付こうとする。さらに、巻き付く際の用紙の挙動は様々であり、また、どちら側にも巻き付かない場合もある。このような用紙の挙動により、ニップ出口直後において用紙ジャムが発生する可能性がある。
【００５４】
そこで、本実施例の定着装置では、ニップ出口の直後に分岐部材２０を配置することで、吸引部材１２と定着ベルト８との対向部、あるいは、吸引部材１２と加圧ローラ１０との対向部に確実に用紙を導くように構成している。そして、その吸引部材１２と定着ベルト８又は加圧ローラ１０の対向部に開口する吸引口１２ａを有する吸引部材１２を設けて用紙を吸着することにより、用紙を定着ベルト８又は加圧ローラ１０から確実に分離できるように構成している。
【００５５】
図４は、本実施例の定着装置において、用紙が定着ニップを出て分離された状態を示すものである。
この図に示すように、定着ベルト８を挟んで定着ローラ６と加圧ローラ１０とが圧接されて形成される定着ニップ部を出た用紙Ｐは、分岐部材２０により、定着ベルト８側の吸引部材１２または加圧ローラ１０側の吸引部材１２の方へ導かれる。図では、定着ベルト８側に送られた用紙を実線で示し、加圧ローラ１０側に送られた用紙を仮想線（一点鎖線）で示してある。分岐部材２０により吸引部材１２の方へ導かれた用紙は、吸引部材１２の吸引口１２ａから吸引されるエアによって吸引され、定着ベルト８又は加圧ローラ１０から確実に分離される。そして用紙は、剥離シート１９と吸引部材１２の間を通って下流側に搬送される。
【００５６】
ところで、定着装置の入口部には先端検知部材２１が配置されており、この先端検知部材２１で用紙先端を検知する。先端検知部材２１が用紙先端を検知すると、その検知信号に基づいて制御手段１７は、用紙が吸引部材１２と定着ベルト８との対向部または吸引部材１２と加圧ローラ１０との対向部を通過する時に吸気装置１３，１３を作動させ、用紙を吸引する。用紙先端が吸引部（吸引部材１２と定着ベルト８又は加圧ローラ１０との対向部）を通過した後は、吸気装置１３，１３の作動を停止させる。用紙の先端部を吸引して定着ベルト８又は加圧ローラ１０から確実に分離して剥離シート１９と吸引部材１２の間に用紙先端部を導いた後は、剥離シート１９によって用紙の分離が行なわれる。上記したように剥離シート１９，１９は定着ベルト８又は加圧ローラ１０に非接触であるので、オイルレス定着においても、定着ベルト８及び加圧ローラ１０に損傷を与えることなく、それらへの用紙巻き付きを防止することができる。
【００５７】
図１に示す画像形成装置が両面機能（用紙の両面へ画像形成する機能）を有する構成の場合、操作部１８又は外部のコンピュータ等からの入力で両面定着が必要とされる画像形成が指定された場合は、両側の吸気装置１３，１３の作動を許可する（実際の作動タイミングは、上述したように先端検知部材２１の検知信号に基づいて作動させれば良い）。両面定着の場合は、各面の先端部の画像状態によって用紙がどちら側に巻き付こうとするか分らないので、定着ベルト８側の吸気装置１３だけでなく加圧ローラ１０側の吸気装置１３も作動させる。
【００５８】
一方、片面定着時は、本例の場合定着ベルト８側にトナー像があるため、加圧ローラ１０側に巻き付くような大きな力が働かないので、定着ベルト８側の吸気装置１３だけが作動するように制御する。万一用紙が加圧ローラ１０側に分岐されたとしても、加圧ローラ１０側に巻き付く大きな力が働かないので、用紙先端と加圧ローラ１０間の隙間は大きく、剥離シート１９で充分に分離可能である。
【００５９】
このように、本実施例の定着装置１１においては、分岐部材２０を配置すると共に定着ベルト８側及び加圧ローラ１０側の双方に吸引部材１２を設けたことにより、特にトナー付着量が多く用紙巻き付き力の強いオイルレスのカラー定着の両面定着時においても、確実に用紙を分離して巻き付きを防止することができるとともに、定着ベルト及び加圧ローラに接触する部材を有さないことにより、定着ベルト及び加圧ローラに損傷を与えることもない。また、用紙先端部に余白がなく非常に巻き付きを起こしやすい全面画像（の用紙）においても、用紙の巻き付きを防止することができる。もちろん、通常の片面画像やモノクロ画像においては、確実に用紙を分離して巻き付きを防止することができる。
【００６０】
また、本実施例の定着装置では剥離シート１９を備えているので、吸気装置１３は、用紙先端が剥離シート１９部に掛かる程度に吸引すればよいので、（吸引部材１２だけで用紙を分離する場合に比べて）吸引力を小さくすることができ、吸気装置１３を大型化（強力化）する必要がない。
【００６１】
なお、本実施例の場合、吸気装置１３を２つ備えているので、上記のように片面定着時には加圧ローラ１０側の吸気装置１３を停止させることができるが、常に両側の吸引部材１２，１２から吸引を行なうのであれば、吸気装置１３を１つとする構成も可能である。また、本実施例では、吸引部材１２の吸引口１２ａは、用紙搬送方向には１つの構成（複数個の吸引口１２ａを定着ローラ６及び加圧ローラ１０の軸方向に１列に並べた構成）としたが、用紙搬送方向に複数個の吸引口１２ａを設ける構成（複数個の吸引口１２ａを定着ローラ６及び加圧ローラ１０の軸方向に複数列、例えば２列に並べた構成）も可能である。
【００６２】
次に、定着装置の第２実施例を図５〜８を参照して説明する。
用紙が厚紙の場合は剛性が大きいので、図２の第１実施例のような屈曲の大きい搬送経路を採ることは困難である。また厚紙は、定着ベルト８又は加圧ローラ１０に巻き付くことなくニップを出た後ほぼ直線的に搬送される。そこで、本実施例では、定着ニップの出口直後に配置した分岐部材を、分割可能な分岐部材３０とした。
【００６３】
図５に示すように、本第２実施例の定着装置３１では、定着ニップの出口直後に配置した分岐部材３０は、定着ベルト側部材（以下、上側部材と呼ぶ）３０ａと加圧ローラ側部材（以下、下側部材と呼ぶ）３０ｂとに分割可能に構成されている。分岐部材３０が異なる以外の基本構成は前記第１実施例と同様であるため、重複する説明を省略して異なる部分のみ説明する。
【００６４】
図５では、分岐部材３０が上側部材３０ａと下側部材３０ｂとに分割離間した状態で、その間を用紙Ｐが通過している様子を示す。
図６，７は、分岐部材３０の構成と動作を説明するものである。
【００６５】
これらの図に示すように、分岐部材３０は上側部材３０ａと下側部材３０ｂから構成されている。下側部材３０ｂは定着装置の筐体に固定されている。上側部材３０ａは、軸３３により揺動可能に支持されているレバー３２に連結され、図の上下方向に移動可能に設けられている。レバー３２の一端部付近と定着装置筐体の間にスプリング等の弾性部材３４が装着され、レバー３２に対して図中時計回りの付勢力が与えられている。この付勢力により、分岐部材３０の上側部材３０ａと下側部材３０ｂは通常状態では当接して一体化されている。レバー３２の他端部付近には、ソレノイド３５のアーム３５ａが装着されている。ソレノイド３５は制御手段１７により制御される。
【００６６】
ソレノイド３５がオンされると、図７に示すように、アーム３５ａが引き込まれ、弾性部材３４の付勢力に抗してレバー３２を図中半時計回りに回動させる。これにより、レバー３２の一端側（上側部材３０ａが連結された側）が持ち上がり、分岐部材３０の上側部材３０ａと下側部材３０ｂが離間する。ソレノイド３５がオフすると、弾性部材３４の付勢力により図６の状態に戻り、分岐部材３０の上側部材３０ａと下側部材３０ｂは当接して一体化する。
【００６７】
図８は、分岐部材３０とソレノイド３５を図６，７の右方向から見た側面図である。分岐部材３０は定着ローラ６及び加圧ローラ１０の軸方向に長い部材であり、その上側部材３０ａの両端部付近に一対のソレノイド３５，３５が連結され、上側部材３０ａを移動させるように構成してある。
【００６８】
さて、図１の画像形成装置の操作部１８又は外部のコンピュータ等からの入力により厚紙定着モードが指定されると、制御手段１７はソレノイド３５をオンして、上側部材３０ａが移動され、下側部材３０ｂから離間される。すなわち、図７に示すように分岐部材３０が分割された状態となる。その状態で厚紙の定着が行われ、定着ニップを通過した用紙は、図５に示すように分割状態の上側部材３０ａと下側部材３０ｂの間を通って搬送される。このとき、吸引装置１３，１３は停止しており、吸引部材１２による吸引は行なわれない。
【００６９】
通常用紙の場合は、図６に示すように分岐部材３０は一体化した状態であり、前記第１実施例と同様に吸引装置１３，１３が制御され、吸引部材１２からの吸引により、用紙は確実な分離が行なわれる。
【００７０】
本第２実施例の定着装置３１においては、前記第１実施例と同様に通常用紙の確実な分離を可能とするとともに、厚紙を直線的に通過させることができるので、厚紙のジャムを防止して、多様な用紙に対応することができる。
【００７１】
なお、ユーザが厚紙モードを指定するのではなく、定着ニップの上流側に紙厚検知手段を設けて用紙の厚さを自動的に検知し、所定の厚さ以上の用紙を検知した場合に分岐部材３０を分割させるように構成しても良い。
【００７２】
また、本例では、弾性部材３４とソレノイド３５により分岐部材３０の一体化及び分割を行なうように構成したが、分岐部材３０を一体化及び分割させる構成は任意の構成を採用することができる。例えば、ステッピングモータを用いてレバー３２を回動させる構成などが考えられる。
【００７３】
次に、定着装置の第３実施例を図９〜１１を参照して説明する。
図９に示す本第３実施例の定着装置４１は、吸気装置１３，１３の連通管１４，１４に接続された吸引部材４２，４２の構成が異なること以外は、図５〜８で説明した前記第２実施例と同様である。したがって、重複する説明は省略し、異なる部分を中心に説明する。
【００７４】
本第３実施例の定着装置４１における吸引部材４２，４２は、回転可能な吸引ローラとして構成されている。吸引ローラ４２，４２は、その周方向に複数の吸引口４２ａを有している。また、その各吸引口４２ａは、図１０の側面図に示すように、長手方向（定着ローラ６及び加圧ローラ１０の軸方向）にも複数個が列設されているものである。吸気装置１３，１３が作動することにより、吸引部材４２，４２の各吸引口４２ａからエアが吸引される。
【００７５】
図１１に示すように、吸引ローラ４２は軸受４３，４３により回転自在に支持されている。その吸引ローラ４２の一端部にはギヤ４４が装着され、図示しない駆動機構を回して吸引ローラ４２が回転駆動される。なお、本例では、吸引ローラ４２に駆動力を与えていたが、駆動せずに用紙の搬送による連れ回りとしても良い。
【００７６】
一方、連通管１４の端部には大径部４５が形成され、その大径部４５で、吸引ローラ４２の他端部が軸受４６を介して連通管に接続されている。このような構成により、吸引ローラ４２が回動しても、吸気装置１３の作動により連通管１４を介して吸引ローラ４２の吸引口４２ａからエアが吸引される。
【００７７】
本第３実施例の定着装置４１においては、定着時に吸引ローラ４２はエアーを吸引しながら回転することにより用紙を吸着搬送し、定着ベルト８又は加圧ローラ１０から用紙を分離する。吸引部材が回転することにより、用紙の搬送をより安定させることができる。
【００７８】
次に、定着装置の第４実施例を図１２を参照して説明する。
図１２に示す本第４実施例の定着装置５１は、ベルト定着方式ではなく、ローラ定着方式の定着装置である。図に示すように、加圧ローラ１０に圧接して定着ローラ５０が設けてある。この定着ローラ５０は、加圧ローラ１０と同一のローラとし、フラットニップ形状とした。また、定着ローラ内部には熱源としてのハロゲンヒータを備えている。そして、定着ローラ５０と加圧ローラ１０に接触又は近接して、温度検知手段５２，５３が配置されている。この温度検知手段５２，５３で検知したローラ温度に基づいて、各ローラ内に配設したハロゲンランプの点灯を制御する。
【００７９】
本実施例の定着装置５１は、定着ベルト方式に代えて定着ローラ５０を設けたこと以外は図５〜８で説明した第２実施例の定着装置と同様であり、用紙分離機能も同様であるため、これ以上の説明を省略する。
【００８０】
次に、定着装置の第５実施例を図１３，１４を参照して説明する。
図１３に示すように、本第５実施例の定着装置６１は、１つの吸気装置１３に連通管１４を介して接続された１つの吸引部材６２を備えている。また、本例では、定着ニップの出口直後に分岐部材が設けられていない。これ以外の構成は図２の前記第１実施例と同様であるので、重複する説明を省略し、異なる部分を中心に説明する。
【００８１】
図１４に吸引部材６２の側面図を示すように、本例の吸引部材６２は略コの字状をしている。その吸引部材６２の内部には、連通管１４に接続されるパイプ６３が内蔵されている。パイプ６３は２股に分かれ、一方は略コの字状吸引部材６２の上側部に、他方は略コの字状吸引部材６２の下側部に延設されている。その上側部と下側部には、それぞれ複数個の吸引口６２ａと６２ｂとが設けられている。吸引口６２ａと６２ｂは、定着ローラ６及び加圧ローラ１０の軸方向に並び、最大用紙幅に対応する範囲に配置されている。各吸引口６２ａ及び６２ｂは、図１３から明らかなように、上側の各吸引口６２ａが定着ベルト８との対向部に、下側の各吸引口６２ｂが加圧ローラ１０との対向部に向けて開口されている。
【００８２】
さて、定着ニップを通過した用紙は、厚紙などほぼ直線的にニップ部から出てくる用紙の場合は定着ベルト８または加圧ローラ１０に巻き付く恐れはなく、吸引部材６２の中央空間部６４（図１４）を通過して搬送される。
【００８３】
また、定着ベルト８側に巻き付くようにしてニップ部から出てくる用紙の場合は、上側の各吸引口６２ａで吸引することにより定着ベルト８から分離され、剥離シート１９と吸引部材６２の間に導かれることにより、確実な分離が行なわれる。
【００８４】
さらに、加圧ローラ１０側に巻き付くようにしてニップ部から出てくる用紙の場合は、下側の各吸引口６２ｂで吸引することにより加圧ローラ１０から分離され、剥離シート１９と吸引部材６２の間に導かれることにより、確実な分離が行なわれる。
【００８５】
本実施例では、吸引部材６２，連通管１４及び吸気装置１３が一組だけであるので、装置コストを抑制することができる。また、可動部を有さない簡単な構成で普通紙から厚紙までの多様な用紙に対応することが可能である。
【００８６】
次に、定着装置の第６実施例を図１５を参照して説明する。
図１５に示す本第６実施例の定着装置７１は、分岐部材と吸引部材を一体化させた部材を備えること以外は図１３の前記第５実施例と同様であるので、重複する説明を省略し、異なる部分を中心に説明する。
【００８７】
本実施例における分岐吸引部材７２は、定着ニップの出口直後に配置される分岐部材とエア吸引口を有する吸引部材とを一体化させたものであって、部材のニップ側先端部が鋭角に形成されている。本例の分岐吸引部材７２は第５実施例の吸引部材６２とは異なって『コ』の字状になっておらず、定着ローラ６及び加圧ローラ１０の軸方向に長さを有する部材であり、その先端鋭角部はニップの出口直後に位置している。
【００８８】
本例の分岐吸引部材７２は２股に分岐したパイプを内蔵しており、その下流側端部は連通管１４に接続されている。２股に分岐した上流側は、先端鋭角部の２つの斜面部に開口して吸引口７２ａ，７２ｂとなっている。定着ベルト側斜面に開口する吸引口７２ａは、定着ベルト８に対向して設けられている。加圧ローラ側斜面に開口する吸引口７２ｂは、加圧ベルト１０に対向して設けられている。吸気装置１３が作動することにより、両吸引口からエアが吸引される。
【００８９】
本実施例の定着装置７１において、ニップを通過して出てきた用紙は、分岐吸引部材７２の先端鋭角部により定着ベルト８側または加圧ベルト１０側に導かれる。用紙先端が定着ベルト８側に進行した場合は、図で上側の吸引口７２ａから吸引されるエアにより定着ベルト８からの確実な分離が図られる。用紙先端が加圧ローラ１０側に進行した場合は、図で下側の吸引口７２ｂから吸引されるエアにより加圧ローラ１０からの確実な分離が図られる。どちらの場合も、用紙は分岐吸引部材７２に沿って搬送され、剥離シート１９と分岐吸引部材７２の間に進入して搬送されることにより、定着ベルト８又は加圧ローラ１０からの確実な分離が行なわれる。
【００９０】
本実施例では、分岐吸引部材７２，連通管１４及び吸気装置１３が一組だけであるので、装置コストを抑制することができる。また、分岐部材と吸引手段が一体的に構成されているので、ニップを出た直後の用紙先端を確実に吸引口７２ａ又は７２ｂに導くことで、確実な分離を促すことができる。
【００９１】
以上、本発明を図示例により説明したが、本発明はこれに限定されるものではない。画像形成装置としては複写装置に限らず、ファクシミリやプリンタとして構成することもできる。また、複数の機能を備える複合機でも良いことは言うまでもない。
【００９２】
定着装置の構成も適宜変更可能であり、例えば熱源をローラ外部に配置する構成でも良い。また、誘導加熱方式を採用することも可能である。ベルト定着装置におけるベルトの張設方法や、ベルトあるいは定着ローラ・加熱ローラ・加圧ローラ等の構成や材料なども適宜設定することができる。
【図面の簡単な説明】
【００９３】
【図１】本発明に係る画像形成装置の一例を示す断面構成図である。
【図２】定着装置の第１実施例の要部構成図である。
【図３】その定着装置の基本構成図である。
【図４】その定着装置において、用紙が定着ニップを出て分離された状態を示す模式図である。
【図５】定着装置の第２実施例の要部構成図である。
【図６】分岐部材の構成を説明する模式図である。
【図７】分岐部材の動作を説明する模式図である。
【図８】分岐部材付近の側面図である。
【図９】定着装置の第３実施例の要部構成図である。
【図１０】吸引ローラの側面図である。
【図１１】吸引ローラ等の断面図である。
【図１２】定着装置の第４実施例の要部構成図である。
【図１３】定着装置の第５実施例の要部構成図である。
【図１４】その定着装置の吸引部材の側面図である。
【図１５】定着装置の第６実施例の要部構成図である。
【符号の説明】
【００９４】
１Ａ〜４Ａ      像担持体
６              定着ローラ
７              加熱ローラ
８              定着ベルト
１０            加圧ローラ
１１，３１，４１，５１，６１，７１  定着装置
１２，６２      吸引部材
１３            吸気装置
１４            連通管
１５，１６      ハロゲンヒータ
１７            制御手段
１８            操作部
１９            剥離シート
２０，３０      分岐部材
２１            先端検知部材
３５            ソレノイド
４２            吸引ローラ
４２ａ          吸引口
５０            定着ローラ
６２ａ，６２ｂ  吸引口
７２            分岐吸引部材
７２ａ，７２ｂ  吸引口
【図１】
2005241723.tif 000003
【図２】
2005241723.tif 000004
【図３】
2005241723.tif 000005
【図４】
2005241723.tif 000006
【図５】
2005241723.tif 000007
【図６】
2005241723.tif 000008
【図７】
2005241723.tif 000009
【図８】
2005241723.tif 000010
【図９】
2005241723.tif 000011
【図１０】
2005241723.tif 000012
【図１１】
2005241723.tif 000013
【図１２】
2005241723.tif 000014
【図１３】
2005241723.tif 000015
【図１４】
2005241723.tif 000016
【図１５】
2005241723.tif 000017